(57)【要約】【課題】回路部材における接続部をめっきで形成する際、接続部と相手端子との接触圧を高め、かつめっき面積を減ずることを課題とする。【解決手段】電気絶縁材で作られた板状の回路部材４０の同一面上に複数設けられ、各伝送路に対応して導通している導電材の接続部４４が相手接続部材の接触端子と接触可能なように回路部材の縁部に沿って複数配列されており、伝送路の幅寸法よりも接続部存在位置距離範囲の方が大きく設定されており、接続部４４Ａ，４４Ｂは、幅方向で少なくとも接続部の両外側縁をなす位置に導電材の導電条部４４Ａ−１；４４Ｂ−１を有して形成され、両外側縁位置の導電条部同士間に導電材不在の絶縁域４２Ａが導電条部と同じ表面レベルもしくは没した表面レベルで配されている。【選択図】図７
2015135834.tif 000002
【特許請求の範囲】
【請求項１】
電気絶縁材で作られた板状の回路部材の同一面上に複数設けられ、各伝送路に対応して導通している導電材の接続部が相手接続部材の接触端子と接触可能なように回路部材の縁部に沿って複数配列されており、伝送路の幅寸法よりも接続部存在位置距離範囲の方が大きく設定されている電気コネクタにおいて、
接続部は、幅方向で少なくとも該接続部の両外側縁をなす位置に導電材の導電条部を有して形成され、両外側縁位置の導電条部同士間に導電材不在の絶縁域が上記導電条部と同じ表面レベルもしくは没した表面レベルで配されていることを特徴とする電気コネクタ。
【請求項２】
回路部材に形成された接続部の導電条部は、両外側縁位置同士間の中間位置にも設けられていることとする請求項１に記載の電気コネクタ。
【請求項３】
回路部材に形成された接続部は、導電条部と、導電条部同士を連結する連結条部とにより枠状に形成されていることとする請求項１又は請求項２に記載の電気コネクタ。
【請求項４】
回路部材は一方の面にペア伝送路をなす複数の伝送路が形成されていると共に他方の面に上記複数の伝送路の配置範囲を覆うグランドプレートがめっき形成され、該グランドプレートは、伝送路の接続部が配列されている範囲に対応する他面の領域範囲に、相手接続部材のグランド接触端子と接触可能なグランド接続部が設けられ、該グランド接続部は上記一方の面における導電条部同士間の絶縁域に対応する部分が導電材不在の絶縁域となっていることとする請求項１ないし請求項３のうちの一つに記載の電気コネクタ。
【発明の詳細な説明】
【技術分野】
【０００１】
本発明は、回路基板材等の板状の回路部材における基板回路構造で、特に高速信号伝送に好適な基板回路構造を有する電気コネクタに関する。
【背景技術】
【０００２】
この種のコネクタの回路部材における基板回路構造としては、例えば、特許文献１に開示されている回路構造が知られている。この特許文献１の回路構造は、最も一般的で簡単な構成として、回路基板内層に伝送路を有さずに、めっきにより回路基板の一方の面のみに複数の伝送路がそして他方の面に全面にわたるグランド板が設けられている。複数の伝送路は、回路基板の縁部に沿って配列された複数のパッド状の接続部にそれぞれ対応して導通している。各伝送路は対応する接続部よりも、幅（上記配列の方向での寸法）が小さい。すなわち接続部の方が幅広となっている。複数の伝送路は、一本のグランド伝送路、隣接する二本の信号伝送路、一本のグランド伝送路という具合に繰り返す配列をなしていて、ペア伝送路を形成する二本の信号伝送路の両側のそれぞれに一本のグランド伝送路を配している。グランド伝送路は基板を貫通するビアにより他方の面のグランド板と導通している。ペア伝送路は伝送路同士が幅方向で近接していて、いずれもペア接続部の対応接続部に接続されており、高速信号の伝送に好適なペア伝送路を形成している。ペア伝送路に導通しているペア接続部は、自ずと定まる基板の厚さに対応して、インピーダンスの調整のために、上述のごとく幅広としてペア接続部の両接続部同士間の幅方向距離を大きくしている。
【先行技術文献】
【特許文献】
【０００３】
【特許文献１】米国特許出願公開第２０１２／０２９５４５３Ａ１号
【発明の概要】
【発明が解決しようとする課題】
【０００４】
しかしながら、特許文献１のごとく、接続部を幅広の大面積のものとすると、両接続部同士間の幅方向距離を大きくすることとなり、これによりインピーダンスが調整されて改善されるものの、次のような課題をかかえる。
【０００５】
第一には、接続部が大面積となることで、全数の接続部をめっきにより回路基板面上に形成すると、めっき総面積が大きくなってコストが嵩むということである。
【０００６】
第二には、各接続部が大面積になるということは、相手端子との接触位置を十分にカバーできて、多少の幅方向での相対位置ずれがあっても接触範囲が広いので確実に接触するという点では有利にはなるが、接触面圧がそれだけ小さくなり、接触信頼性が低下するという課題をかかえる。
【０００７】
本発明は、以上のような状況に鑑み、インピーダンスが調整可能な接続部同士間距離を確保しつつ、めっき面積を小さく抑え、高い接触面圧のもとで接触信頼性の高い回路部材を有する電気コネクタを提供することを課題とする。
【課題を解決するための手段】
【０００８】
本発明に係る電気コネクタは、電気絶縁材で作られた板状の回路部材の同一面上に複数設けられ、各伝送路に対応して導通している導電材の接続部が相手接続部材の接触端子と接触可能なように回路部材の縁部に沿って複数配列されており、伝送路の幅寸法よりも接続部存在位置距離範囲の方が大きく設定されている。ここで回路部材とは、単独で電子機器に取り付けられる通常の回路基板の他、モールドで所定形状とされてコネクタに組み込まれ保持されるブレード等、板状の回路部材に伝送路が形成され、他部材との電気的接続のために、該伝送路と導通したパッド状の接続部が回路部材の縁部に配列形成されているすべての回路部材を称する。接続部は、回路基板に直接めっきを施すか、あるいは端子部分として金属板層を設けた後、その金属板層をめっきするかにより形成されるが、いずれにせよ、めっきがなされる。
【０００９】
かかる電気コネクタにおいて、本発明では、接続部は、幅方向で少なくとも該接続部の両外側縁をなす位置に導電材の導電条部を有して形成され、両外側縁位置の導電条部同士間に導電材不在の絶縁域が上記導電条部と同じ表面レベルもしくは没した表面レベルで配されていることを特徴としている。
【００１０】
このような構成の本発明によると、接続部が、インピーダンス調整のために回路基板等の回路部材の厚さに応じた適切な接続部中央線同士間距離を確保したまま、絶縁域を設けてその両側に導電部材を位置させることで導電条部での接続部面積を大幅減することができ、接続部としてのめっき総面積を小さくしてめっきコストを低減すると共に、上記導電条部と相手となる接触端子との間での接触面圧を増大して接触信頼性が向上する。また、接触箇所の増加による幅方向ずれに対する許容量が増加する。本発明は、伝送路が高速信号伝送用のペア伝送路の場合に効果を奏するが、ペア伝送路でなくとも通常の伝送路でも、めっきコストの低減という点では同じ効果を得る。
【００１１】
本発明において、回路部材に形成された接続部の導電条部は、両外側縁位置同士間の中間位置にも設けられているようにすることができる。すなわち、幅方向両側縁に位置する導電条部同士間に、さらに導電条部を追加する形態である。こうすることで、上記幅方向ずれに対する許容量が増大する。
【００１２】
本発明において、回路部材に形成された接続部は、導電条部と、導電条部同士を連結する連結条部とにより枠状に形成されていることが好ましい。こうすることで、すべて導電条部は、端部を有することなく伝送路とつながって閉路（閉ループ形状）を形成するので、端部が回路部材表面から剥離を始めるという問題もなく、強度が高まる。
【００１３】
本発明において、回路部材は一方の面にペア伝送路をなす複数の伝送路が形成されていると共に他方の面に上記複数の伝送路の配置範囲を覆うグランドプレートがめっき形成され、該グランドプレートは、伝送路の接続部が配列されている範囲に対応する他面の領域範囲に、相手接続部材のグランド接触端子と接触可能なグランド接続部が設けられ、該グランド接続部は上記一方の面における導電条部同士間の絶縁域に対応する部分が導電材不在の絶縁域となっているようにすることが好ましい。こうすることで、回路基板の両面にて、対応する複数の位置で絶縁域を形成でき、全体としてのめっき面積を減らすことができる。
【発明の効果】
【００１４】
本発明は、以上のように、伝送路と導通する回路部材の縁部における接続部の中央線同士間距離を高速信号伝送に適した回路部材の厚さにもとづく適正値に保ちつつ、接続部を両外側縁の導電条部で形成して、その間に絶縁域を設けることで、接続部の面積を小さくして、接続部のためのめっき総面積を小さくする結果、めっきコストを低減し、さらには、小面積の導電条部での相手接触端子との間の接触面圧を増大する結果、接触信頼性が向上するという効果を得る。さらには、一つの接続部として、両外側縁部位置で、すなわち、幅方向で二つ以上の導電条部を存在させることとなり、相手接触端子との同方向での接触位置のずれに対する幅が拡がる。
【図面の簡単な説明】
【００１５】
【図１】本発明の一実施形態のコネクタと上下相手コネクタとの組立状態（コネクタ組立体）を示す斜視図である。
【図２】図１のコネクタ組立体を、相手コネクタとの組立前の状態で示す斜視図である。
【図３】図１，２の本発明のコネクタに用いられる回路基板を示す斜視図である。
【図４】図３の回路基板から保護カバーを外した状態で示す（電気素子付き）基板本体を示す図である。
【図５】図４の基板本体を、電気素子を外した状態で、該基板本体の一方の面を示す詳細図である。
【図６】図５の基板本体の他方の面を示す詳細図である。
【図７】図５について一部接続部の周辺を拡大して示す図である。
【図８】図７におけるVIII‐VIII断面図である。
【発明を実施するための形態】
【００１６】
以下、添付図面にもとづき、本発明の実施の形態を説明する。
【００１７】
図１は、伝送路が形成された回路部材を保持している本実施形態のコネクタ１０と、該コネクタ１０に対して上下からそれぞれ接続される相手接続部材としての相手コネクタ５０，６０とで成るコネクタ組立体Ｉを組立後状態、図２は組立前状態でそれぞれの外観を示す斜視図である。相手コネクタ５０，６０はいずれも端子が植設された底板５２を保持しており、上記コネクタ１０に上下からそれぞれ接続されることで、二つの上記底板５２を該コネクタ１０を介して接続する機能を有している。一方の相手コネクタ６０が下側に位置する回路基板（図示せず）に取り付けられ、他の相手コネクタ５０が上側に位置する回路基板（図示せず）に取り付けられて使用される。相手コネクタ５０，６０の形態は全く同じである。
【００１８】
本発明において、コネクタ１０により保持されている回路部材とは、単独で電子機器に取り付けられる通常の回路基板の他、モールドで所定形状とされてコネクタに組み込まれ保持されるブレード等、板状の回路部材に伝送路が形成され、他部材との電気的接続のために、該伝送路と導通したパッド状の接続部が回路部材の縁部に配列形成されているすべての回路部材を称する。
【００１９】
上述したように、相手コネクタ５０，６０は同じであるので、図１，２にて、上方に位置する相手コネクタ５０についてのみ説明し、下方に位置する相手コネクタ６０についてはその説明を省略し、相手コネクタについて説明が必要があるときには共通部分について相手コネクタ５０の符号に「１０」を加えた６０台の数字の符号で示すことにする。
【００２０】
相手コネクタ５０は、図２に見られるように、絶縁材料の四角枠状のコネクタ本体５１の底面側（図１の底板５２では上面側）の外面に二つの底板５２，５２が取り付けられており、これらの底板５２は、底板５２を板厚方向に貫通する接触端子が行そして列をなして複数植設されている。底板５２の底面側では接触端子に半田ボール５３が施されており、該接触端子はコネクタ本体５１内では下方に向け底板５２から接触端子が突出していてその先端（下端）側は、後述のコネクタ１０の回路基板の面に弾性的に接触する接触部（図示せず）が設けられている。上記相手コネクタ５０の接触端子は信号端子とグランド端子とが混在して配列されており、上記コネクタ１０の回路基板の一方の面に形成された伝送路用の接続部に対し、信号端子の接触部が、そして他方の面に形成されたグランド接続部に対してグランド端子の接触部が弾圧接触するようになっている。信号端子とグランド端子とは配列方向で半ピッチだけそれらの位置がずれていて、信号端子とグランド端子が上記コネクタ１０の回路基板に対して一方の面と他方の面とで、千鳥状になる位置で接触する。
【００２１】
上記相手コネクタ５０のコネクタ本体５１の外周面は、コネクタ１０との嵌合の際の被案内面をなしており、四隅角部に被案内突部５１Ａ，５１Ｂが設けられ、また図で左端面では、左右の誤嵌合防止のためのキー突部５１Ｃが設けられている。なお、誤嵌合防止をさらに確実にならしめるために、上記被案内突部５１Ａ，５１Ｂもその形状等が異なっている。さらに、上記コネクタ本体５１の外側面の側部には、コネクタ１０との嵌合係止のための係止突部５１Ｄが設けられている。
【００２２】
このように形成された相手コネクタ５０（相手コネクタ６０も同様）は、本発明の主眼とするところではなく、本発明の後述のコネクタ１０の接続相手対象として説明したものであり、これ以上の説明は省略する。
【００２３】
コネクタ１０は、上コネクタ２０と下コネクタ３０とが連結して一つのコネクタとして形成されている。上コネクタ２０は、絶縁材の上ケース２１、下コネクタ３０は絶縁材の下ケース３１を有していて、上下から互いに嵌合結合されて、一つの四角筒ケース状のハウジング１１をなしており、後述の回路基板を保持する保持部材として機能する。
【００２４】
上記上ケース２１と下ケース３１はともに、上下に貫通して開口しており、両ケース２１，３１とが嵌合結合された状態のハウジング１１が、高さ方向で上下ケース２１，３１の両方にわたり延びる高さ寸法の回路基板を複数枚、列をなして保持している。
【００２５】
四角筒ケース状の上記ハウジング１１は、その上下開口内面が既述の相手コネクタ５０，６０を受入嵌合する大きさ形状となっており、図示はされていないが、相手コネクタ５０の係止突部５１Ｄと係止して抜け防止を図る係止段部も内周面に設けられている。下方の相手コネクタ６０も内周面に相手コネクタ６０の係止突部６１Ｄと係止する係止段部が設けられている。かかるハウジング１１自体は、本発明の主眼とするところではなく、複数の回路基板を相手コネクタの接触端子と接続可能な位置で配列保持する機能を有しているということが理解されていれば十分なので、これ以上のハウジング１１についての説明は省略する。
【００２６】
ハウジング１１内で配列保持されている回路基板４０は、図２のごとく、上下方向に見たときに、ハウジング１１の長手方向に定間隔で複数枚配置されており、各回路基板４０は上下方向に延び、それらの上下縁部に、相手コネクタ５０，６０との電気的接続のための接続部が設けられている。
【００２７】
各回路基板４０は、図３に見られるような外観をなしており、電気絶縁材の母材板４２の一方の面に設けられた信号伝送用の伝送路４３と接続部４４及びグランド路４５、他方の面に設けられたグランドプレート４６（図６にて説明）がそれぞれめっきで施された板状の基板本体４１と、ペア伝送路４３に取り付けられた後述の電気素子４７及び保護カバー４８とを有している。
【００２８】
図４は上記基板本体４１の一方の面にめっきにより設けられた信号用のペア伝送路４３及び接続部４４及びこれに接続された電気素子４７とグランド路４５を示す該一方の面についての概要図であり、図５は電気素子４７を接続前の上記基板本体４１の一方の面を示す詳細図、そして図６は該基板本体４１の他方の面を示す図である。
【００２９】
図５に見られるように、信号用のペア伝送路４３は、隣接位置で対をなして上下に延びる二つの伝送路４３Ａ，４３Ｂにより形成されている。このペア伝送路４３は、図５の例では、基板幅方向（横方向）に間隔をもって五対設けられている。ペア伝送路４３は図５では、上部と下部に分離して形成されているが、両者は基板本体４１の他方の面を示す図６に見られるようにパッド４３Ａ−２，４３Ｂ−２にそれぞれ形成されたビア（基板本体の両面に貫通して導通するための小孔）（図示せず）を通して基板本体４１の両面が導通しており、上下方向では基板本体４１の上縁そして下縁近傍まで連続している。
【００３０】
なお、図５では電気素子４７の図示が省略されているため、上部の伝送路４３Ａ、４３Ｂは、その下端で不連続になっているように見えるが、ここは、図４に示されているように電気素子４７により電気的に導通している。図５では、上述の五対のペア伝送路４３は、上下方向中間位置で分離された位置にビアが形成されたパッド４３Ａ−１Ｕ，４３Ｂ−１Ｕそしてパッド４３Ａ−１Ｌ，４３Ｂ−１Ｌが設けられていて、上述のように、各ビアを通して、他面側のパッド４３Ａ−２，４３Ｂ−２を仲介して、ペア伝送路４３の上部と下部は一つの連続した伝送路をなしている。なお、五つのペア伝送路４３についての、パッド４３Ａ−１Ｕ，４３Ｂ−１Ｕ；４３Ａ−１Ｌ，４３Ｂ−１Ｌ；４３Ａ−２，４３Ｂ−２の位置には差異があるが、これは、図５において、信号の高速伝送そしてノイズの低減の目的から二つの伝送路線をペアとしてもつ差動ペア線路とするように、五つの差動ペア線路に、隣接する差動ペア同士間のクロストークを低減するために、基板本体４１の板厚内で、ストレートペアとクロスペアとを交互に配して形成していることにもとづくものである。
【００３１】
対をなすペア伝送路４３の二つの伝送路４３Ａ，４３Ｂは、基板本体４１の上縁そして下縁にめっきでペアをなして設けられた接続部４４（４４Ａ，４４Ｂ）に導通しており、上下方向で、この接続部４４と上記パッド４３Ａ−１Ｕ，４３Ｂ−１Ｕ；４３Ａ−１Ｌ，４３Ｂ−１Ｌの間で至近間隔をもって隣接しており、上記接続部４４との連絡位置そしてパッド４３Ａ−１Ｕ，４３Ｂ−１Ｕ；４３Ａ−１Ｌ，４３Ｂ−１Ｌとの連絡移行範囲にてのみ、間隔が拡大されている。上記接続部４４は、本発明の主眼とするところであり、後に再度詳述する。
【００３２】
図５に見られるように、基板本体４１の一方の面では、各ペア伝送路４３同士間そして基板本体４１の両側縁位置で上下に連続したグランド路４５がめっきにより設けられている。すなわち、グランド路４５は、各ペア伝送路４３を挟むようにペア伝送路４３の両側に位置している。各グランド路４５には、基板本体４１の他面側に設けられた後述するグランドプレート４６との導通のために複数のビア４５Ａが形成されている。図５においては、グランド路４５の領域内でパッド４３Ａ−１Ｕ，４３Ｂ−１Ｕの近傍位置に円形の貫通孔４１Ｂが基板本体４１をその板厚方向に貫通して形成されているが、これは図４に示された保護カバー４８の取付けのために使用される。
【００３３】
保護カバー４８は、図３に見られるように、基板本体４１に対し上下方向で中間位置に設けられていて、基板本体４１の一方の面におけるパッド４３Ａ−１Ｕ，４３Ｂ−１Ｕ；４３Ａ−１Ｌの存在範囲を覆う蓋状に形成されている。保護カバー４８は、絶縁材で作られていて、図３に見られるように、上記基板本体４１の一方の面に面する平板部４８Ａと、両側の側板部４８Ｂ，４８Ｃとを有して、薄い蓋状をなしている。
【００３４】
保護カバー４８の平板部４８Ａには、基板本体４１の伝送路４３に取り付けられた電気素子４７を接触して圧しないように窓状部４８Ａ―１が形成され、さらに窓状部４８Ａ−１を保護するために基板本体４１の面から離間してもち上がって横方向に延びる保護帯部４８Ａ−２が上記平板部４８Ａに一体的に形成されている。側板部４８Ｂと側板部４８Ｃには、後述する基板本体４１の側縁に設けられた突起を突出せしめるための切欠部４８Ｃ−１，４８Ｃ−２が形成されている。左方に位置する側板部４８Ｂは右方に位置する側板部４８Ｃよりも厚くなるように段条部をなしているが、これは、回路基板４０がハウジング１１の内壁に形成された所定の挿入溝に挿入配置される際に上記保護カバー４８が上記挿入溝に案内挿入されるので、左縁と右縁とが向きを誤って挿入されないよう、厚さに差異をもたせている、という理由によるものである。保護カバー４８は、平板部４８Ａから突出する短円柱状のボスを既述の貫通孔４１Ｂに挿入させた後、超音波溶着等によりボスが軟化して貫通孔４１Ｂを塞ぎその後の降温硬化により、基板本体４１に固定される。
【００３５】
基板本体４１には、図３〜５に見られるように、両側縁に複数の突起が形成されているが、これらはハウジング１１内での位置のために保護カバー４８の切欠部４８Ｃ−１，４８Ｃ−２から突出するよう設けられているものであり、特に高さ方向中央位置で細かくしかも他の突起よりも突出量の大きい突起４１Ａは、ハウジング１１をなす上ケース２１と下ケース３１とに上下から挟持されて、位置決めかつ保持されるための突起である。
【００３６】
次に、本発明の主眼とする、接続部４４について説明する。接続部４４は、基板本体４１の上縁そして下縁にめっきにより配列形成されていてペア伝送路４３の上端そして下端と導通している。図７は、図４の回路基板４０の下縁右部における一つのペア伝送路４３（伝送路４３Ａ及び伝送路４３Ｂ）に対応して設けられた二つの接続部４４（４４Ａ，４４Ｂ）付近についての拡大図である。図７において、二つの伝送路４３Ａ及び４３Ｂのそれぞれは、その幅方向（図にて横方向）に近接して並行に配置されており、下端位置で若干伝送路自体の幅を拡げつつ、伝送路４３Ａ，４３Ｂ同士の間隔をも拡げている。上記ペア伝送路４３の両側には、グランド路４５が位置している。
【００３７】
伝送路４３Ａ，４３Ｂの幅方向での中央位置を通る中央線Ｌ１Ａ，Ｌ１Ｂ間の間隔ｄ１に対して、伝送路４３Ａ，４３Ｂに対応する接続部４４Ａ，４４Ｂの中央線Ｌ２Ａ，Ｌ２Ｂ間の間隔ｄ２は、ｄ２＞ｄ１という関係になっている。この関係におけるｄ２とｄ１との比の値は、インピータン調整がなされるように、基板本体４１の厚みにより適宜設定される。上記ｄ２＞ｄ１なる関係は、既述のように、伝送路４３Ａ，４３Ｂが接続部４４Ａ，４４Ｂへ移行する範囲で、それ自体の幅、それらの間隔を拡げることにより実現される。
【００３８】
接続部４４Ａ；４４Ｂは、いずれも、枠状に形成されている。すなわち、いずれの接続部４４Ａ；４４Ｂも、それらの幅方向両側縁に導電材で導電条部４４Ａ−１；４４Ｂ−１を設け、両導電条部４４Ａ−１同士そして４４Ｂ−１同士を下端側で連結条部４４Ａ−２そして４４Ｂ−２で連結し、伝送路４３Ａ；４３Ｂと相俟って四角な枠状を形成している。両導電条部４４Ａ−１同士間の距離（両導電条部４４Ｂ−１同士間も同様）ｂ２は対応する伝送路４３Ａの幅ｂ１よりも大きい。しかしながら、本実施形態では、一つの導電条部４４Ａ−１の幅ｂ３は上記伝送路４３Ａの幅ｂ１よりも小さい。連結条部４４Ａ−２，４４Ｂ−２の帯幅（図７で、高さ方向寸法ｂ４）は、上記幅ｂ１，ｂ２，ｂ３との関係で限定されないが、好ましくは、ｂ３に近い値とする。かくして、接続部４４Ａ；４４Ｂは、上記両導電条部４４Ａ−１；両導電条部４４Ｂ−１そして連結条部４４Ａ−２；４４Ｂ−２によって形成される。本発明において、接続部４４Ａ，４４Ｂは、両導電条部４４Ａ−１そして両導電条部４４Ｂ−１の存在を必須とするが、連結条部４４Ａ−２；４４Ｂ−２は必須ではなく、両導電条部４４Ａ−１は下端で連結されてなくてもよい。しかしながら、両導電条部４４Ａ−１；４４Ｂ−１の基板本体１による保持強度を高めるためには、連結部４４Ａ−２；４４Ｂ−２の存在は望まれる。両導電条部４４Ｂ−１も同様である。
【００３９】
上記枠状に形成された接続部４４Ａ；４４Ｂはそれらの枠内の領域は、基板本体４１の母材板４２の面そのものであり、絶縁域４２Ａ；４２Ｂとなっており、図７におけるVIII―VIII断面である図８に見られるように、絶縁域４２Ａ；４２Ｂは導電条部４４Ａ−１；４４Ｂ−１よりも没している。かくして、相手接続材の接触端子が上記接続部４４Ａ；４４Ｂに対して、基板本体４１の厚み方向で弾性圧をもって接触する際に、確実に導電条部４４Ａ−１；４４Ｂ−１と接触するようになる。しかも、その際、相手接続材の接触端子に対する導電条部４４Ａ−１；４４Ｂ−１の接触面積は、上記絶縁域４２Ａ；４２Ｂの存在により小さいものとなり、接触圧が高められ、接触信頼性向上する。これと共に、すべての接続部４４を形成する際のめっき総面積を小さくし、めっきコストを低減できる。なお、上記絶縁縁４２Ａ；４２Ｂは、導電条部４４Ａ−１；４４Ｂ−１と相手接続材の接触端子との接触を阻害しない限り、また接触圧を適正値よりも減じない限り、上記導電条部４４Ａ−１；４４Ｂ−１と同一もしくは同一近くのレベル面とすることもできる。図示の実施形態では、接続部４４Ａ，４４Ｂは、それらの両側にのみ導電条部４４Ａ−１；４４Ｂ−１を設けたが、中間に他の導電条部を設け、例えば、平行に三つの導電条部が存在するようにしてもよい。この場合も、中間の導電条部も連結条部４４Ａ−２；４４Ｂと連結していることが好ましい。
【００４０】
既述したように、基板本体４１は、一方の面にペア伝送路４３等が形成されていると共に、他方の面には、図６に見られるように、グランドプレート４６が設けられている。該グランドプレート４６は、上記ペア伝送路４３等と同様、基板本体４１の母材板４２上にめっきにより形成されていて、きわめて限られた除外部分以外は、母材板４２の全面にわたる範囲に及んでいる。このグランドプレート４６が形成されていない上記除外部分とは、母材板４２の周囲縁のシールド不要な狭い領域、パッド４３Ａ−２，４３Ｂ−２の存在域、保護カバー４８の固定のための貫通孔４１Ｂの部分、そして、後述するグランド接続部における限定域である。
【００４１】
上記グランドプレート４６は、図５にて基板本体４１の一方の面に形成されているペア伝送路４３のための複数の接続部４４が存在する上下方向そして幅方向をカバーする範囲に対応する範囲で、基板本体４１の他方の面にグランド接続部４９が存在している。図６に見られるように、グランド接続部４９は、略櫛歯状をなしていて、グランドプレート４６の存在部分と不存在部分とが交互に繰り返し形成されている。この状況を、図６でのVIII−VIII断面として示す図８に見られるように、グランド接続部４９は、幅広で相手接続部材のグランド接触端子と接触するための主部４９Ａと、幅狭の副部４９Ｂとが交互に配置される。主部４９Ａは、図８に見られるように、基板本体４１の一方の面に形成された接続部４４（４４Ａ，４４Ｂ）に対し、他方の面で千鳥状をなす位置に設けられている。例えば図８にて、中央に位置する主部４９Ａは、接続部４４Ａが有する二つの導電条部４４Ａ−１のうちの右方の導電条部４４Ａ−１（２）と、隣接する接続部４４Ｂが有する二つの導電条部４４Ｂ−１の左方のうちの導電条部４４Ｂ−１（１）とをまたがる範囲に位置している。副部４９Ｂは、上記接続部４４Ａの左方の導電条部４４Ａ−１（１）に対応し、また導電条部４４Ｂ−１（２）に対応して、それぞれ位置し、導電条部に対してのシールドとしての機能を果たしている。したがって副部４９Ｂは相手接続部材のグランド接触端子とは接触する役目は担っていない。主部４９Ａと副部４９Ｂとの間は、グランド接続部４９の部分が存在しておらず、絶縁域４９Ｃを形成し、幅方向にて接続部４４の絶縁域４２Ａに対応して位置している。シールドとして機能する副部４９Ｂを設けつつも、上記絶縁域４９Ｃを設けることにより、グランドプレート４６をめっきで形成する際、全体として、めっき領域を低減させることができる。
【符号の説明】
【００４２】
１０  （電気）コネクタ                ４４Ａ，４４Ｂ  接続部
１１  保持部材（ハウジング）          ４４Ａ−１，４４Ｂ−１  導電条部  
４０  回路部材（回路基板）            ４４Ａ−２，４４Ｂ−２  連結条部
４２Ａ  絶縁域                        ４５  グランド路
４３  ペア伝送路                      ４６  グランドプレート
４３Ａ，４３Ｂ  伝送路                ４９  グランド接続部
４４  （ペア）接続部                  ４９Ｃ  絶縁域
【図１】
2015135834.tif 000003
【図２】
2015135834.tif 000004
【図３】
2015135834.tif 000005
【図４】
2015135834.tif 000006
【図５】
2015135834.tif 000007
【図６】
2015135834.tif 000008
【図７】
2015135834.tif 000009
【図８】
2015135834.tif 000010